(57)【要約】【課題】本発明は、時報時計の時報機能を利用して、被監視高齢者の安否を確認できる簡易かつ低廉な生活見守り報時時計システムを提供することを課題とする。【解決手段】スピーカから任意の正時に所定の時報音を発生する時計親機と、前記時計親機と無線通信できる、応答ボタン付の送信専用携帯子機とを有し、前記時計親機には、前記時報音として、標準時報音の他に携帯子機の応答操作を促す指令時報音を記憶し、特定の正時に前記スピーカから前記指令時報音が出力された場合には、その出力後、所定時間内に、携帯子機の応答ボタン操作で送信される応答信号を受信できなければ、生体異常警報音を前記スピーカから出力させることを特徴とする。【選択図】図１
2007198993.tif 000002
【特許請求の範囲】
【請求項１】
スピーカから任意の正時に所定の時報音を発生する時計親機と、前記時計親機と無線通信できる、応答ボタン付の送信専用携帯子機とを有し、前記時計親機には、前記時報音として、標準時報音の他に、携帯子機の応答操作を促す指令時報音を記憶し、特定の正時に前記スピーカから前記指令時報音を所定時間内において反復して出力できるようにし、前記所定時間内に、前記応答ボタン操作に連動して前記携帯子機から送信される応答信号を受信できなければ、生体異常警報音を前記スピーカから出力させることを特徴とする生活見守り報時時計システム。
【請求項２】
前記携帯子機に受信機能を付加するとともに、前記時計親機には、前記指令時報音の出力時、これと同期して、前記時計親機から前記携帯子機に対し、応答要請信号を送信できる無線送信手段を設け、前記応答要請信号を受信した前記携帯子機から応答要請音を鳴動させるようにしたことを特徴とする請求項１記載の生活見守り報時時計システム。
【請求項３】
前記生体異常警報音の出力と同期して、生体異常警報信号を外部機器に出力できるようにしたことを特徴とする請求項１または請求項２記載の生活見守り報時時計システム。
【請求項４】
指定の正時に時計親機と携帯子機との間でヘルシーチェック通信ができるようにしたことを特徴とする請求項１、請求項２または請求項３記載の生活見守り報時時計システム。
【発明の詳細な説明】
【技術分野】
【０００１】
本発明は、設定時刻になると、予め定められた時報音を発生する報時時計に係り、特に、高齢者の安否を確認するための監視機能を備えた生活見守り報時時計に関する。
【背景技術】
【０００２】
高齢者安否を遠隔的に監視する、専用の安否確認装置は公知である。例えば、特許文献１には、人の動きを検知して動作する動体検知センサを、住居内の被監視高齢者がよく通る場所を選んで設置し、当該センサが被監視高齢者の動きを長時間検知しない場合には、被監視高齢者に異常ありと判断して外部の監視センター等に報知する安否確認装置が記載されている。
【０００３】
【特許文献１】・・・・特開昭６３−４４２９８号公報
【発明の開示】
【発明が解決しようとする課題】
【０００４】
前述した安否確認装置は、高齢者監視専用の装置であり、需要数が限定され、量産化は困難である。また、高価な動体センサを必要とし、また、動体センサの設置場所や配線引き回しの問題もある。いずれにしても、一般住居への導入には困難が伴う。
【０００５】
また、被監視高齢者の体動、移動状態を検出する動体センサの検出能力には限界があり、検出漏れや誤検出が避けられないという問題があった。
【課題を解決するための手段】
【０００６】
本発明の１つは、スピーカから任意の正時に所定の時報音を発生する時計親機と、応答ボタン付の送信専用携帯子機とを組み合わせて構成し、１日の中で、標準時報音が出力される指定の正時とは別に、特定の正時においては、応答を促す指令時報音をスピーカから出力し、これを聞いた被監視高齢者から所定時間内に携帯子機による応答があれば正常、無ければ異常と見なし、異常と判定された場合には、生体異常警報音をスピーカから出力させることを特徴とするものである。
【０００７】
また、本発明の他の１つは、前記特徴に加え、時計親機において、スピーカからの指令時報音の出力に並行して、応答要請信号を無線で送信し、送受信機能付きの携帯子機でこれを受信することにより、携帯子機から応答要請音を鳴動させることを特徴とするものである。
【発明の効果】
【０００８】
本発明の生活見守り報時時計システムは、時報時計の時報機能を利用して、応答要請音を指令時報音として出力する簡易な構成であり、専用の安否確認装置を必要としない。もちろん、そのまま時報時計としても使用することができる。
【０００９】
また、被監視高齢者は、時計親機から拡声出力される指令時報音が聞こえたら、その場所で送信専用携帯子機の応答ボタンを押すだけでよく、時計親機の位置まで移動する必要はない。
【００１０】
この場合、携帯子機は受信機能なしでよい。受信機能が不要であれば、携帯子機は、応答操作期間中だけの電源消費を考慮すればよい。長い電池寿命を期待できる。
【００１１】
さらに、時計親機のスピーカから出る指令時報音は、所定時間の間、反復して出力されるが、これに並行して、応答要請信号を無線で送信し、これを携帯子機で受信できる構成の場合には、被監視高齢者が、応答要請音声が届かないトイレなどの密閉された場所にいても、携帯子機から応答要請音を鳴動させることができる。
【発明を実施するための最良の形態】
【００１２】
図１は、本発明の１実施例を示す生活見守り報時時計システムのブロック図である。
【００１３】
図１において、１は時計親機であり、一般には、壁掛け型や据え置き型の形状を有する。２は、アンテナ３、応答ボタン４を有する携帯子機である。
【００１４】
図において、５は、時計親機１の全体動作を制御する制御手段であり、これには、各種の周辺手段が接続されている。
【００１５】
周辺手段を列挙すると、６は時間を刻み正時信号を出力する時計手段であり、７は時計表示や設定データなどを表示する表示手段である。
【００１６】
８は目覚まし時間を設定する目覚まし設定手段であり、９は時報音（標準時報音および指令時報音を含む）の動作時刻、音種類、音量等を設定できる時報設定手段である。
【００１７】
１０は音停止手段であり、目覚まし音を停止させたり、後述する、携帯子機２の異常を知らせる子機異常警報音や被監視高齢者になんらかの異常があったことを知らせる生体異常警報音を停止させたりする機能を有する。
【００１８】
１２は目覚まし音や時報音の発生を制御する音発生手段であり、スピーカ１１に接続されている。
【００１９】
１３は制御手段５の制御動作に係わるプログラムデータや時報設定手段９で設定される設定内容に係わるスケジュールデータの他に、時報音データ、目覚まし音データ、警報音データ等を記憶する記憶手段である。
【００２０】
１５は後述する応答要請信号や子機点検信号（ヘルシーチェック信号）を送信する無線送信手段であり、アンテナ１４に接続されている。
２１は限時タイマであり、音発生手段１２や無線送信手段１５の動作継続時間を制御する。
【００２１】
１６は携帯子機２から送信される送信電波を受信する無線受信手段であり、この無線受信手段１６に接続されている。
異常判定手段１７は、２種類の出力を有し、一方の異常出力ライン１７ａは、出力設定手段１８に、他方の正常出力ライン１７ｂは制御手段１５にそれぞれ接続されている。
【００２２】
出力設定手段１８には、外部機器とのインターフェース手段である出力手段ａ１９、出力手段ｂ２０が接続されている。
【００２３】
この出力手段ａ１９、出力手段ｂ２０の個数と内部構成は、接続すべき外部機器の種類と数に適合させるものとする。考えられる外部機器としては、例えば集合住宅の場合は、管理センターに配置される監視親機がある。また、個人住宅の場合であれば、外接スピーカやブザー、電話装置などがある。
【００２４】
次に、本発明の生活見守り報時時計システムの動作を図１、図２、図３を参照して説明する。なお、目覚まし音に関する説明は省略する。
【００２５】
まず、時報設定について説明する。
【００２６】
時報設定は、設定ボタン（図示せず）などを含む時報設定手段において、表示手段７の表示内容を確認しながら実行する。それによって、図２の示すようなスケジュールデータを設定する。
【００２７】
本実施例では、図に示すように、各正時に対して、時報音、音量、携帯子機定期点検（フラグ）を設定することができる。
【００２８】
図２には、時報音のデータとして、指定の正時に対応して、時報音の種類を示す時報音コードと、音量レベルを示す数値と、携帯子機定期点検フラグとが設定されている。
【００２９】
図３は、前述した時報音コードと、これに対応する時報音データを示す説明図である。
【００３０】
図を参照すると、時報音データは、標準時報音と指令時報音の２つのグループに区分され、前者には２４種類の「鳥の鳴き声」のデータが含まれ、後者には、５種類の「応答要請音声」のデータが含まれていることがわかる。
【００３１】
「応答要請音声１」は、例えば、「ボタンを押して下さい」などのメッセージ音声が該当する。
【００３２】
なお、図示の例では、５種類の「応答要請音声」が用意されているが、種類を増やしたり、減らしたりすることは自由である。
【００３３】
また、指令時報音である「応答要請音声」は、必ずしも、「ボタンを押して下さい」などのメッセージ音声に限定されるものではない。すなわち、指令時報音としては標準時報音と明確に区別できるもので有ればよい。
【００３４】
例えば、鳥の鳴き声が標準時報音の場合、警笛音を指令時報音（応答要請音声）とすることもできる。
【００３５】
再び図２に戻って説明を続ける。
【００３６】
図において、入力された時報音のデータは、指令時報音と標準時報音のグループに区分されることがわかる。
【００３７】
すなわち、正時の午前６時に対し、指令時報音の１つであるコード９５が指定され、他の指定の正時には、標準時報音の時報音コードである「０８」、「１０」「１２」「１４」「１６」「２０」のコードが指定されていることがわかる。
【００３８】
また、図の場合には、標準時報音のグループには音量レベル３を、指令時報音には音量レベル８をそれぞれ割り付け、指令時報音の音量が標準時報音のそれより、格段に大きくなるように設定されている。
【００３９】
なお、図示の例では、各正時において、時報音の音量レベルを設定できるようになっているが、音量レベルを指令時報音と標準時報音に区別できるだけで良い場合、あるいは、その必要もなければ、スケジュールデータから音量項目を抹消し、別途、指令時報音と標準時報音のグループに分けクループ単位で音量を設定できるようにしても良い。
【００４０】
図２において、携帯子機定期点検の項目は、後述する、携帯子機の定期点検を実行するかどうかを決める、ヘルシーチェック通信の起動フラグのデータを収納する項目である。「１」が起動フラグＯＮ、「０」が起動フラグＯＦＦに対応する。
【００４１】
次に図２のスケジュールデータが記憶手段１３に記憶されたとして説明を続ける。
【００４２】
今、図１の時計手段６から、午前６時の正時信号が出力されたと仮定する。制御手段５は、その正時データをもとに記憶手段１３の中のスケジュールデータを検索し、時報音データとしてコード９５、音量データとしてレベル８を取得する。
【００４３】
さらに、取得した時報音コードをもとに、記憶手段１３の中から時報音データを検索し、同コードに一致するデータとして応答要請音声５１の音声データ、すなわち、「ボタンを押して下さい」というメッセージ音声すなわち指令時報音データを取得する。
【００４４】
このメッセージ音声は音発生手段１２を介してスピーカ１１から、レベル８の音量で所定時間乃至所定回数、反復して放音されるものとする。
【００４５】
なお、この反復回数乃至反復時間は、被監視高齢者の反応速度はもちろん、聞き落とし等を防止できるようにできるだけ長いことが望ましく、例えば、３０分に設定する。
この設定時間は、限時タイマ２１で可変可能とする。
【００４６】
このメッセージ音声を聞いた被監視高齢者が手持ちの携帯子機２の応答ボタン４を押すと、携帯子機２から応答電波が発射される。
【００４７】
この応答電波が時計親機１の無線受信手段１６を介して異常判定手段１７に届くと、異常判定手段１７は、応答電波を確認したあと、正常（応答有り）信号を制御手段５に出力する。制御手段５は、この正常信号を受信すると、スピーカから出る指令時報音（応答要請音声）の出力を停止させ、待機状態に復帰する。
【００４８】
なお、限時タイマ２１で定められた反復継続時間を経過して指令時報音が停止するまでに携帯子機２から応答信号を受信できなければ、異常判定手段１７は、被監視高齢者に異常があったものと判定し、異常信号を出力する。
【００４９】
異常判定手段１７から出力される異常（応答なし）の信号は、異常出力ライン１７ａを介して、制御部５および出力設定手段１８に送信される。
【００５０】
制御部５はこの異常信号を受信すると、記憶手段１３の音データの中から警報音データを読み取り、音発生手段１２に連なるスピーカ１１から生体異常警報音を鳴動させる。
【００５１】
他方、前記異常信号は、被監視高齢者の異常を知らせる生体異常警報信号として、出力設定手段１８、出力手段ａ１９およびまたは出力手段ｂ２０を介して、外部に出力される。
【００５２】
次に、被監視高齢者に対し、スピーカを使った音声による応答要請を実行しながら、並行して、無線電波による応答要請を携帯子機に対し実行する場合について説明する。
【００５３】
この場合は、応答要請音声をスピーカ１１から出力するのに同期して、無線送信手段１２を介して、応答要請信号を送信する。応答要請信号の送信は、限時タイマ２１で定められた時間継続される。
【００５４】
携帯子機２は、この応答要請信号を受信するための受信機能を具備すると共に、この応答要請信号を受信すると、内部スピーカまたはブザーから応答要請音ないし呼出音を自動的に鳴動させるものとする。
【００５５】
被監視高齢者が携帯子機２の応答ボタン４を押すと、前述と同様、時計親機１に対し、応答信号が送信される。続いて起こる時計親機１の応答動作は前述と同様であり、説明を省略する。
【００５６】
なお、このように、時計親機１から応答要請信号電波を携帯子機２に送信できる場合には、時計親機１のスピーカから応答要請音声を出力することは必ずしも必要としない。従って、この場合には、時計親機１のスピーカから応答要請音声を出力するか否かをユーザが任意に選択できるようにすることが望ましい。
【００５７】
次に、本発明によれば、スケジュールデータとして、図２に示すように、携帯子機定期点検フラグが設定されていれば、指定の正時、すなわち、図示の例では、午前６時に携帯子機２の正常、異常を確認するためのヘルシーチェック通信が実行される。
【００５８】
ヘルシーチェック通信は、無線送信手段１５から子機点検信号を送信し、これを受信した携帯子機２から正常信号が時計親機１に送信されたかどうかを判定することにより、実行される。
【００５９】
正常信号が受信できれば、携帯子機２を正常と判定する。正常信号を受信できず、異常と判定された場合には、音発生手段１２を介して、スピーカ１１から子機異常警報音を出力する。この子機異常警報音と前記した被監視高齢者の生体異常警報音とは音の種類などで区別できることが望ましい。
【００６０】
なお、例えば、携帯子機２からの応答信号は、音停止手段の停止信号として利用することができる。
【００６１】
そうすれば、時計親機１のスピーカ１１から出る目覚まし音や生体異常警報音、子機異常警報音を強制的に停止させたい場合には、携帯子機２の応答ボタン４を押せばよく、時計親機１の場所まで移動して音停止手段１０を直接操作する手間を省略できる。
【図面の簡単な説明】
【００６２】
【図１】本発明の１実施例を示す生活見守り報時時計システムのブロック図。
【図２】本発明の１実施例を示すスケジュールデータの説明図。
【図３】本発明の１実施例を示す時報音データの説明図。
【符号の説明】
【００６３】
１        時計親機
２        携帯子機
３        アンテナ
４        応答ボタン
５        制御手段
６        時計手段
７        表示手段
８        目覚まし手段
９        時報設定手段
１０        音停止手段
１１        スピーカ
１２        音発生手段
１３        記憶手段
１４        アンテナ
１５        無線放送手段
１６        無線受信手段
１７        異常判定手段
１７ａ      異常出力ライン
１７ｂ      正常出力ライン
１８        出力設定手段
１９        出力手段ａ
２０        出力手段ｂ
２１        限時タイマ
【図２】
2007198993.tif 000003
【図３】
2007198993.tif 000004
【図１】
2007198993.tif 000005